(57)【特許請求の範囲】
【請求項１】
画像を表示する表示部と、
周期的な所定日と所定時刻とを入力する入力部と、
前記周期的な所定日の前記所定時刻において報知を行う報知部と、
前記入力部において入力された前記所定時刻が、午前中の時刻であるか否かを判断する第一の判断部と、
本日が前記周期的な所定日に該当する日であり、かつ、現在の時刻が前記所定時刻以前である、か否かを判断する第二の判断部と、
前記第一の判断部の判断により、前記入力部において入力された時刻が、午前中の時刻であると判断された場合であって、前記第二の判断部の判断により、本日が前記周期的な所定日に該当する日であり、かつ、現在の時刻が前記所定時刻以前でないと判断された場合は、前記報知が、次回の前記所定日の午前の時刻における報知である旨の確認画面を表示し、
前記第一の判断部の判断により、前記入力部において入力された時刻が、午前中の時刻であると判断された場合であって、前記第二の判断部の判断により、本日が前記周期的な所定日に該当する日であり、かつ、現在の時刻が前記所定時刻以前であると判断された場合は、前記報知が、本日の午前の時刻における報知である旨の確認画面を表示する確認部と、を備える電子機器。
【請求項２】
前記周期的な所定日が、毎日、毎週の所定曜日、毎月の所定日、又は、毎年の所定日のいずれかである請求項１に記載の電子機器。
【請求項３】
前記確認部は、
前記確認画面において、前記午前の時刻における報知である旨を強調して表示する請求項１又は２に記載の電子機器。
【請求項４】
前記強調する表示は、前記午前の時刻における報知である旨の部分の、下線表示、点滅表示、文字色の変更表示、背景色の変更表示、枠で囲う表示若しくは線の太さ変更表示又はこれらの任意の組み合わせである請求項３記載の電子機器。
【請求項５】
前記報知が発音動作、画像表示動作、発光動作、及び、振動動作のうちの少なくともいずれか１つを含む報知である請求項１から４のいずれか１項に記載の電子機器。
【請求項６】
コンピュータを、
画像を表示する表示部、
周期的な所定日と所定時刻とを入力する入力部、
前記周期的な所定日の前記所定時刻において報知を行う報知部、
前記入力部において入力された前記所定時刻が、午前中の時刻であるか否かを判断する第一の判断部、
本日が前記周期的な所定日に該当する日であり、かつ、現在の時刻が前記所定時刻以前である、か否かを判断する第二の判断部、
前記第一の判断部の判断により、前記入力部において入力された時刻が、午前中の時刻であると判断された場合であって、前記第二の判断部の判断により、本日が前記周期的な所定日に該当する日であり、かつ、現在の時刻が前記所定時刻以前でないと判断された場合は、前記報知が、次回の前記所定日の午前の時刻における報知である旨の確認画面を表示し、
前記第一の判断部の判断により、前記入力部において入力された時刻が、午前中の時刻であると判断された場合であって、前記第二の判断部の判断により、本日が前記周期的な所定日に該当する日であり、かつ、現在の時刻が前記所定時刻以前であると判断された場合は、前記報知が、本日の午前の時刻における報知である旨の確認画面を表示する確認部、として機能させる確認画面表示プログラム。
【発明の詳細な説明】
【技術分野】
【０００１】
本発明は、アラーム機能を備えた電子機器及び確認画面表示プログラムに関する。
【背景技術】
【０００２】
携帯電話などの電子機器においては、所定時刻をユーザが設定し、この所定時刻にアラーム音などを発音させるアラーム機能が背景技術として知られている。たとえば、この種の背景技術として特許文献１においては、携帯電話の日時表示及びアラーム日時の設定に必要な時差修正を行う背景技術が開示されている。
【０００３】
このような、アラーム機能は、ユーザが目覚まし機能として利用している場合も多い。
【先行技術文献】
【特許文献】
【０００４】
【特許文献１】特開２００２−９４６１８号公報
【発明の概要】
【発明が解決しようとする課題】
【０００５】
従来のアラーム機能を有する電子機器においては、その設定時刻が、２４時間単位で入力される場合がある。この２４時間単位でアラーム時刻を設定する場合、ユーザが本来は１２時以降の午後の時間を設定したいにもかかわらず、誤って１２時間単位での午前の時間、つまり１２時間ずれた時間を設定してしまう場合があるという問題点がある。
【０００６】
たとえば、ユーザが本来は、１５時にアラーム時刻の設定を希望しているにも関わらず、ユーザが誤まって、１２時間単位で３時にアラーム時刻を設定するという場合がある。この場合、ユーザの希望するアラーム時刻の１５時よりも１２時間ずれた時刻の３時でアラーム機能が設定されてしまうという問題がある。
【０００７】
本発明は、上記事情に鑑みなされたもので、アラーム時刻の設定の誤りを軽減させることが可能な電子機器及び確認画面表示プログラムを提供することを目的とする。
【課題を解決するための手段】
【０００８】
上記課題を解決するため、本発明の第１の局面は、画像を表示する表示部と、周期的な所定日と所定時刻とを入力する入力部と、前記周期的な所定日の前記所定時刻において報知を行う報知部と、前記入力部において入力された前記所定時刻が、午前中の時刻であるか否かを判断する判断部と、本日が、前記周期的な所定日に該当する日であり、かつ、現在の時刻が、前記所定時刻以前か否かを判断する日時判断部と、前記判断部の判断により、前記入力部において入力された時刻が、午前中の時刻であると判断された場合であって、かつ、前記日時判断部の判断により、本日が、前記周期的な所定日に該当する日であり、かつ、現在の時刻が、前記所定時刻以前でないと判断された場合は、前記報知が、次回の前記所定日の午前の時刻における報知である旨の確認画面を表示する確認部と、を備える。
【０００９】
本発明の第２の局面は、画像を表示する表示部と、周期的な所定日と所定時刻とを入力する入力部と、前記周期的な所定日の前記所定時刻において報知を行う報知部と、前記入力部において入力された前記所定時刻が、午前中の時刻であるか否かを判断する判断部と、本日が、前記周期的な所定日に該当する日であり、かつ、現在の時刻が、前記所定時刻以前か否かを判断する日時判断部と、前記判断部の判断により、前記入力部において入力
された時刻が、午前中の時刻であると判断され、かつ、前記日時判断部の判断により、本日が、前記周期的な所定日に該当する日であり、かつ、現在の時刻が、前記所定時刻以前であると判断された場合は、前記報知が、本日の前記所定日の午前の時刻における報知である旨の確認画面を表示する確認部と、を備える。
【００１０】
本発明の第３の局面は、第１又は第２の局面において、前記周期的な所定日が、毎日、毎週の所定曜日、毎月の所定日、又は、毎年の所定日のいずれかである。
【００１１】
本発明の第４の局面は、第１から第３のいずれかに記載の局面において、前記確認部は、前記確認画面において、前記午前の時刻における報知である旨を強調して表示する。
【００１２】
本発明の第５の局面は、本発明の第４の局面において、前記強調する表示は、前記午前の時刻における報知である旨の部分の、下線表示、点滅表示、文字色の変更表示、背景色の変更表示、枠で囲う表示若しくは線の太さ変更表示又はこれらの任意の組み合わせである。
【００１３】
本発明の第６の局面は、第１の局面から第５の局面のいずれかの局面において、前記報知が発音動作、画像表示動作、発光動作、及び、振動動作のうちの少なくともいずれか１つを含む報知である。
【００１４】
本発明の第７の局面は、コンピュータを、画像を表示する表示部、周期的な所定日と所定時刻とを入力する入力部、前記周期的な所定日の前記所定時刻において報知を行う報知部、前記入力部において入力された前記所定時刻が、午前中の時刻であるか否かを判断する判断部、本日が、前記周期的な所定日に該当する日であり、かつ、現在の時刻が、前記所定時刻以前か否かを判断する日時判断部、前記判断部の判断により、前記入力部において入力された時刻が、午前中の時刻であると判断された場合であって、かつ、前記日時判断部の判断により、本日が、前記周期的な所定日に該当する日であり、かつ、現在の時刻が、前記所定時刻以前でないと判断された場合は、前記報知が、次回の前記所定日の午前の時刻における報知である旨の確認画面を表示する確認部、として機能させる確認画面表示プログラムである。
【００１５】
本発明の第８の局面は、コンピュータを、画像を表示する表示部、周期的な所定日と所定時刻とを入力する入力部、前記周期的な所定日の前記所定時刻において報知を行う報知部、前記入力部において入力された前記所定時刻が、午前中の時刻であるか否かを判断する判断部、本日が、前記周期的な所定日に該当する日であり、かつ、現在の時刻が、前記所定時刻以前か否かを判断する日時判断部、前記判断部の判断により、前記入力部において入力された時刻が、午前中の時刻であると判断され、かつ、前記日時判断部の判断により、本日が、前記周期的な所定日に該当する日であり、かつ、現在の時刻が、前記所定時刻以前であると判断された場合は、前記報知が、本日の前記所定日の午前の時刻における報知である旨の確認画面を表示する確認部、として機能させる確認画面表示プログラムである。
【発明の効果】
【００１６】
本発明の電子機器及び確認画面表示プログラムによれば、アラーム時刻の設定の誤りを軽減させることが可能な電子機器及び確認画面表示プログラムを提供することができる。
【図面の簡単な説明】
【００１７】
【図１】本発明に係る電子機器の一実施形態である携帯電話の外観斜視図である。
【図２】本発明に係る電子機器の一実施形態である携帯電話の外観斜視図である。
【図３】図１に示される携帯電話の内部構成を示すブロック図である。
【図４】図３に示されるＲＯＭ１１０の内部構成を示す概念図である。
【図５】図３に示される制御部１４０の機能ブロック図である。
【図６】本発明に係る電子機器の一実施形態である携帯電話のアラーム設定動作のフローチャートである。
【図７】本発明に係る電子機器の一実施形態である携帯電話の表示画面の概略図である。
【図８】本発明に係る電子機器の一実施形態である携帯電話の表示画面の概略図である。
【図９】本発明に係る電子機器の一実施形態である携帯電話の表示画面の概略図である。
【図１０】本発明に係る電子機器の一実施形態である携帯電話の表示画面の概略図である。
【図１１】本発明に係る電子機器の一実施形態である携帯電話の表示画面の概略図である。
【図１２】本発明に係る電子機器の一実施形態である携帯電話の変形例の表示画面の概略図である。
【発明を実施するための形態】
【００１８】
以下、本発明に係る電子機器の一実施形態として、携帯電話を例に図面を参照して説明する。なお、以下に説明する電子機器の一実施形態の説明は、本発明に係る確認画面表示プログラムの一実施形態の説明も兼ねる。
【００１９】
図１及び図２は、本発明に係る電子機器の一実施形態である携帯電話の外観斜視図である。図１は、携帯電話がオープン状態である場合を示し、図２は、携帯電話がクローズ状態である場合を示す。
【００２０】
図１に示される携帯電話は、いわゆる折り畳み型の携帯電話である。この携帯電話は、ＬＣＤ（ｌｉｑｕｉｄ  ｃｒｙｓｔａｌ  ｄｉｓｐｌａｙ）側筐体１０と、操作部側筐体２０とがヒンジ機構３０により互いに開閉可能な構造となっている。
【００２１】
ＬＣＤ側筐体１０には、画像や文字などを表示するＬＣＤ１７０が設けられている。また、操作部側筐体２０には、入力キー１５０が設けられている。この入力キー１５０は、主に数字や文字などを入力するためのテンキー１５０ａと、カーソル移動や方向指示などに使用する方向キー１５０ｂとを備える。
【００２２】
次に、図３を参照して、図１に示される携帯電話の内部構成について説明する。図３は、図１に示される携帯電話の内部構成を示すブロック図である。
【００２３】
図３に示されるように、本実施形態の携帯電話は、アンテナ１００と、ＲＯＭ１１０と、リアルタイムクロック（以下、ＲＴＣとも記載する。）１２０と、無線回路１３０と、制御部１４０と、入力キー１５０と、ＬＣＤドライバ１６０と、ＬＣＤ１７０と、振動モータ１８０と、フラッシュメモリ１９０と、ＲＡＭ２００と、マイク２１０と、レシーバ２２０と、スピーカ２３０とを備える。
【００２４】
アンテナ１００は、所定周波数により搬送された電波を受信して信号として無線回路１３０に出力すると共に、無線回路１３０から出力された信号を所定周波数の電波として出力する。
【００２５】
ＲＯＭ１１０は、ＣＰＵ１４０ａにより実行されるプログラムや、このプログラムで利用されるデータを記憶する。
【００２６】
ＲＴＣ１２０は、実時刻情報を制御部１４０に出力する。
【００２７】
無線回路１３０は、アンテナ１００が受信した信号を所定の信号に変換すると共に、制御部から出力された信号を変換してアンテナ１００に出力する。
【００２８】
制御部１４０は、携帯電話全体の動作を制御する。この制御部１４０は例えばＣＰＵ１４０ａなどを有して構成される。この制御部１４０のＣＰＵ１４０ａは、ＲＯＭ１１０に記憶されたプログラムなどと協働して、各種ハードウェアを制御する。
【００２９】
入力キー１５０は、テンキー、電源キー、方向キーなどから構成され、ユーザの入力に基づいて入力信号を制御部１４０に出力する。
【００３０】
ＬＣＤドライバ１６０は、制御部１４０の制御に基づいてＬＣＤ１７０の表示を制御する。
【００３１】
ＬＣＤ１７０は、ＬＣＤドライバ１６０の制御に基づいて、画像、映像、文字などを表示する。たとえば、制御部１４０は、着信やアラーム日時到来などのイベントがあると、ユーザに報知するためＬＣＤ１７０に所定の画像などを表示する。
【００３２】
振動モータ１８０は、制御部１４０の制御に基づいて、回転動作を行う。振動モータ１８０は、回転動作により携帯電話に振動を付与する。制御部１４０は、着信やアラーム日時到来などのイベントがあると、ユーザに報知するため振動モータ１８０を回転させ、携帯電話に振動を付与する。
【００３３】
フラッシュメモリ１９０は、各種情報を記憶する。この情報として、例えば、携帯電話のユーザに関連する情報などがある。このユーザに関連する情報とは、たとえば、アドレス帳、スケジュール帳などが挙げられる。また、フラッシュメモリ１９０は、画像データ、映像データ、音楽データなどの各種情報を記憶する。
【００３４】
ＲＡＭ２００は、ＣＰＵ１４０ａが作業する際に、データを展開するためのバッファ領域として利用される。
【００３５】
マイク２１０は、携帯電話の外部の音を集め、その集めた音に基づいて、制御部１４０に信号を出力する。マイク２１０は、携帯電話のユーザが通話の際の会話の音声を集める。
【００３６】
レシーバ２２０は、制御部１４０の制御に基づいて音を出力する。レシーバ２２０が出力する音は、たとえば、通話中のユーザ同士の会話などである。
【００３７】
スピーカ２３０は、制御部１４０から出力された信号に基づいて音を発する。この音としては、たとえば報知音や音楽などがある。たとえば、制御部１４０は、着信やアラーム日時到来などのイベントがあると、ユーザに報知するためスピーカ２３０から発音させる。
【００３８】
次に、図４を参照して、図３に示されるＲＯＭ１１０の内部構成について説明する。図４は、図３に示されるＲＯＭ１１０の内部構成を示す概念図である。
【００３９】
図４に示されるように、ＲＯＭ１１０は、ＣＰＵ１４０ａと協働して各種処理を行うプログラムを記憶するプログラム領域３００と、各種処理において利用されるデータが記憶されるデータ領域３１０とから構成される。
【００４０】
プログラム領域３００は、画像表示処理を行うための画像表示プログラム３０１と、入
力キー１５０などからの入力信号を処理するための入力処理プログラム３０２と、ユーザからアラーム設定時刻と入力された時刻が、午前であるか否か、すなわち、０時０分から１２時０分までの間であるか否かを判断するための判断プログラム３０３と、本日がアラーム日、かつ、現在時刻が所定時刻以前であるか否かを判断する日時判断プログラム３０４と、ＬＣＤ１７０に確認画面を表示させるための確認プログラム３０５と、ユーザに対して、画像表示、振動、発音などによる報知処理をするアラーム処理を設定するアラーム設定プログラム３０６と、アラーム日時において画像表示、振動、発音などによる報知処理を行う報知処理プログラム３０７とから構成される。
【００４１】
また、データ領域３１０は、ＬＣＤ１７０に表示する各種の画像データ３１１からなる。
【００４２】
次に、図５を参照して、図３に示される制御部１４０の機能について説明する。図５は、図３に示される制御部１４０の機能ブロック図である。
【００４３】
図５に示されるように、制御部１４０は、入力部４０１と、判断部４０２と、日時判断部４０３と、確認部４０４と、設定部４０５とを備える。
【００４４】
入力部４０１は、入力キー１５０から入力された情報を処理する。すなわち、入力部４０１は、入力キー１５０から入力された情報を判断部４０２、設定部４０５に出力する。
【００４５】
判断部４０２は、ユーザから入力された時刻が、午前であるか否か、すなわち、ユーザから入力された時刻が０時０分から１２時０分までの間であるか否か、判断する。
【００４６】
日時判断部４０３は、本日がアラーム日、かつ、現在時刻が所定時刻以前であるか否かを判断する。
【００４７】
確認部４０４は、ユーザから入力された時刻が午前である場合に、ユーザに確認を促すための所定の確認画面を、ＬＣＤドライバ１６０を介してＬＣＤ１７０に表示させる。
【００４８】
設定部４０５は、入力部４０１において入力された情報に基づいて、アラーム日時を設定し、アラーム日時に報知部４０６に対して報知処理を行うよう指示する。
【００４９】
報知部４０６は、ＬＣＤ１７０、振動モータ１８０、スピーカ２３０などからなり、アラーム日時である旨を報知するために、ＬＣＤ１７０に画像を表示したり、振動モータ１８０を回転させて振動を付与したり、スピーカ２３０から発音するなど、これらのいずれか１つまたはこれらを任意に組み合わせた処理を行う。
【００５０】
次に、図６から図１１を参照して、本発明に係る電子機器の一実施形態である携帯電話の動作について説明する。
【００５１】
図６は、本発明に係る電子機器の一実施形態である携帯電話のアラーム設定動作のフローチャートであり、図７から図１１は、本発明に係る電子機器の一実施形態である携帯電話の表示画面の概略図である。
【００５２】
まず、携帯電話のユーザがアラーム設定する場合、ユーザは、メニュー画面などからアラーム設定処理を選択する。そして、アラーム設定処理がユーザにより選択されると、図７に示される画面５００がＬＣＤ１７０に表示される。
【００５３】
図７に示される画面５００には、アラーム日入力部５１０と、時刻入力部５２０と、決
定キー５３０と、キャンセルキー５４０とが表示されている。
【００５４】
アラーム日入力部５１０は、アラームによる報知処理を行う日付を入力するための画像である。そして、アラーム日入力部５１０は、毎日アラームを鳴らす旨を入力する毎日入力部５１０ａと、平日（月曜から金曜まで）にアラームを鳴らす旨を入力する平日入力部５１０ｂと、週末（土曜、日曜）にアラームを鳴らす旨を入力する週末入力部５１０ｃと、所定曜日にアラームを鳴らす旨を入力する曜日入力部５１０ｄとからなる。
【００５５】
これら各入力部が選択されることにより、それぞれのアラーム日が選択されることとなる。
【００５６】
ここで、毎日入力部５１０ａが選択された場合は、アラームは入力時刻において毎日鳴動する。また、平日入力部５１０ｂが選択された場合は、アラームは入力時刻において平日（月曜から金曜まで）に鳴動する。また、週末入力部５１０ｃが選択された場合は、アラームは入力時刻において週末（土、日）に鳴動する。なお、週末としては、土、日に限定されるものではなく、土、日の少なくともいずれか一方を、週末と定義しても良い。また、曜日入力部５１０ｄが選択された場合は、アラームは入力時刻において設定された曜日に鳴動する。
【００５７】
なお、平日としては、月曜から金曜までに限定されるものではなく、月曜から日曜までの任意の曜日を、１つまたは任意に組み合わせて平日と定義しても良い。
【００５８】
ここで、図７に示される曜日入力部５１０ｄを入力決定後の、アラーム曜日の指定画面について図８を参照して説明する。図８に示される画面５５０には、曜日指定画面６１０と、決定キー５３０と、キャンセルキー５４０とが表示されている。
【００５９】
また、曜日指定画面６１０には、月曜日指定画面６１０ａと、火曜日指定画面６１０ｂと、水曜日指定画面６１０ｃと、木曜日指定画面６１０ｄと、金曜日指定画面６１０ｅと、土曜日指定画面６１０ｆと、日曜日指定画面６１０ｇとが含まれる。
【００６０】
ユーザは、月曜日指定画面６１０ａと、火曜日指定画面６１０ｂと、水曜日指定画面６１０ｃと、木曜日指定画面６１０ｄと、金曜日指定画面６１０ｅと、土曜日指定画面６１０ｆと、日曜日指定画面６１０ｇのうちから１つ又は複数の任意のいずれか１つを選択して、アラームの曜日を指定する。
【００６１】
そして、図８に示される画面５５０において、アラームの曜日を指定して、決定キー５３０を押すと、画面は図７に示される画面に戻る。その後、ユーザは、アラーム時刻を時刻入力部５２０から入力する。
【００６２】
図７に示される時刻入力部５２０は、アラームによる報知処理を行う時刻を入力するための画像である。
【００６３】
そして、時刻入力部５２０は、時を入力するための時入力部５２０ａと、分を入力するための分入力部５２０ｂとから構成される。
【００６４】
ユーザは、図７に示される画面５００から、入力キー１５０を用いて、毎日、平日、週末、曜日指定のいずれかのアラーム日、及び、所定時刻を入力する。この入力に基づいて、入力部４０１は、入力内容をＬＣＤ１７０に表示させる（Ｓ１０１）。すなわち、この毎日、平日、週末、曜日指定のいずれかのアラーム日が本発明でいう周期的な所定日となる。ここで、周期的とは、所定の時間間隔で少なくとも１回以上アラームがなされることをいう。もちろん、本発明でいう、周期的な所定日としては、毎日、平日、週末、曜日指定のいずれかのアラーム日に限定されるものではなく、たとえば、毎年、毎月の５日、１５日、２５日などの５の付く日など、適宜その他の所定日を設定しても良い。
【００６５】
たとえば、ユーザが、アラーム日として平日を選択し、７時０分を入力した場合のＬＣＤ１７０の表示画面を図９に示す。
【００６６】
図９に示される例では、平日入力部５１０ｂが選択されたため、平日入力部５１０ｂの背景色が変色している。図９に示される例では、この変色は、横線のハッチングで示されている。また、時刻入力部５２０には、時を入力するための時入力部５２０ａには数字の７が表示され、分を入力するための分入力部５２０ｂには、数字の００が入力されている。
【００６７】
次に、制御部１４０の判断部４０２は、ユーザから入力された時刻が午前であるか否か、すなわち、ユーザから入力された時刻が０時０分から１２時０分までの間であるか否か、判断する（Ｓ１０２）。なお、本実施形態では、上記時間範囲の境界時刻である、０時０分と１２時０分との双方を午前であるとする。もちろん、本発明において、上記時間範囲の境界時刻である、０時０分と１２時０分とのいずれか一方のみを午前としても良いし、上記時間範囲の境界時刻である、０時０分と１２時０分との双方を午前ではないとしても良い。また、境界時刻として、分の単位まで考慮したが、本発明はこれに限定されず、秒の単位やその他、秒よりも下位の時刻単位まで考慮しても良い。
【００６８】
そして、制御部１４０は、ユーザから入力された時刻が午前である場合（ＹＥＳ）は、Ｓ１０３に移行し、午前でない場合はＳ１０６に移行する。
【００６９】
そして、制御部１４０は、本日がアラーム日、かつ、現在時刻が所定時刻以前であるか否かを判断する（Ｓ１０３）。
【００７０】
そして、制御部１４０は、本日がアラーム日、かつ、現在時刻が所定時刻以前である場合は（Ｓ１０３、ＹＥＳ）、Ｓ１０４に移行する。また、制御部１４０は、本日がアラーム日、かつ、現在時刻が所定時刻以前でない場合は（Ｓ１０３、ＮＯ）、Ｓ１０５に移行する。
【００７１】
なお、次のＳ１０４、Ｓ１０５の説明においては、アラーム日として平日が指定され、本日が月曜日である場合を例に説明する。
【００７２】
Ｓ１０４では、図１０に示されるように、確認部４０４は、入力された時刻が、本日の午前の時刻である旨の確認画面５５０をＬＣＤ１７０に表示するよう指示する。この確認画面５５０には、アラーム日時として設定された日時が、本日の午前である旨が明示されている。
【００７３】
Ｓ１０５では、図１１に示されるように、確認部４０４は、入力された時刻が、明日の午前の時刻である旨の確認画面５６０をＬＣＤ１７０に表示するよう指示する。この確認画面５６０には、アラーム日時として設定された日時が、明日の午前である旨が明示されている。本実施形態では、本日が月曜日であるとしているため、明日は火曜日である。なお、例えば、アラーム日として平日が指定され、本日が金曜日、若しくは土曜日というように、次の日に平日に該当する日が無い場合は、図１１に示されるような「明日」という文言に代えて、本日以降の次の日付（例えば明後日や１月１日などの直接の日付）や、次の曜日（例えば、次の月曜日）などを表示するとしても良い。
【００７４】
次に、図１０、図１１に示される確認画面５５０、５６０を確認したユーザは、決定キー５３０又はキャンセルキー５４０のいずれかを入力キー１５０により選択する。
【００７５】
そして、入力部４０１は、Ｓ１０６において、決定キー５３０が選択された場合は（ＹＥＳ）、ステップＳ１０７に移行し、決定キー５３０が選択されずキャンセルキー５４０が選択された場合は（ＮＯ）、Ｓ１０１に移行する。
【００７６】
次に、設定部４０５は、ユーザにより入力された日時をアラーム日時と設定し（Ｓ１０７）、アラーム設定処理を終える。
【００７７】
なお、報知部４０６は、ＲＴＣ１２０から出力された日時がアラーム設定された日時となった場合は、ＬＣＤ１７０による画像表示、振動モータ１８０による振動付与、スピーカ２３０からの発音など若しくはこれらの任意の組み合わせからなる報知処理を行う。なお、この報知処理は、図７に示されるアラーム日への設定に基づいて、毎日、平日、週末、指定された曜日の、所定時刻になる毎に、行われる。
【００７８】
以上のように、本発明に係る電子機器の一実施形態である携帯電話によれば、アラーム日時を設定した際に、設定時刻が午前であるか否か、及び、本日がアラーム日であるか否かを判断し、設定時刻が午前であり、かつ、本日がアラーム日である場合は、現在時刻が所定時刻以前か否かに基づいてユーザに対して確認画面５５０、５６０を表示するため、ユーザが本当に午前の時刻を設定するのか、若しくは、午前の時刻から１２時間ずれた時刻を設定するのかの注意喚起を行うことができ、ユーザによるアラーム時刻の設定ミスを軽減することができる。
【００７９】
＜変形例＞
次に、上記の本発明に係る電子機器の一実施形態の携帯電話の変形例について図１２を参照して説明する。図１２は、本発明に係る電子機器の一実施形態である携帯電話の変形例の表示画面の概略図である。
【００８０】
この変形例は、図１０に示されるユーザに表示する確認画面５５０に代えて、図１２に示される確認画面５５０ａが表示される点のみが異なり、その他の構成及び動作は、図１から図１１を参照して説明した実施形態と同様である。
【００８１】
すなわち、本発明に係る電子機器の一実施形態の携帯電話の変形例においては、図１２に示されるように、確認画面５５０ａにおいて、午前の部分が下線により強調表示されている。
【００８２】
そのため、この変形例の電子機器の一実施形態によれば、ユーザに対する確認画面５５０ａにおいて午前の部分が強調表示されているため、ユーザが本当に午前の時刻を設定するのか、若しくは、午前の時刻から１２時間ずれた時刻を設定するのかの注意喚起を行うことができ、ユーザによるアラーム時刻の設定ミスを軽減することができる。
【００８３】
なお、本発明に係る電子機器の一実施形態の強調表示として、上記のような下線表示に限定されるものではなく、その他にも、午前の部分の点滅表示、午前の部分の文字色の変更表示、午前の部分の背景色の変更表示、午前の部分を枠で囲う表示、若しくは、午前の部分の線の太さ変更表示又はこれらの任意の組み合わせなど、その他適宜な強調表示であって良い。
【００８４】
また、本発明に係る電子機器の一実施形態における、午前の部分の強調表示として、午前の部分のみを強調表示する場合に限定されるものではなく、たとえば時刻など、午前以
外の部分も含めて強調表示するとしても良い。
【００８５】
［補足］
（１）なお、本発明に係る電子機器及び確認画面表示プログラムは、上記実施形態に限定されるものではなく、その他種々の変形実施が可能である。
【００８６】
（２）たとえば、アラーム日として、上記実施形態の図７では、毎日、平日、週末、曜日指定のいずれかとしているが、これに、毎年、時間、分など、適宜な時間間隔のアラーム日を用いても良い。
【００８７】
また、アラーム設定時刻として、図７に示される例では、時分を入力したが、時分に加えて秒を入力するようにしても良いし、分だけにしても良い。
【００８８】
また、たとえば、毎月１日や毎月の１５日など、月毎の所定日を設定した場合、１月１日から２月１日の間の日数と、２月１日から３月１日との間の日数は異なるものの、月単位でみれば月毎に所定日が到来するため、１月１日、２月１日、３月１日などであっても周期的な所定日とする。これは、月毎の周期的な所定日を設定した場合の他、年毎の周期的な所定日を設定した場合も同様である。
【００８９】
また、月において、例えば、その月の５のつく日、５日、１５日、２５日なども設定することが可能であり、このような設定をした場合であっても、周期的な所定日とする。
【００９０】
（３）また、上記実施形態では、ユーザから入力された時刻が、午前であるか否か、すなわち、０時０分から１２時０分までの間であるか否か判断するとしたが、午前か否かを判断するための時間範囲としては、このような午前の全体の時間範囲でなくても良く、その時間範囲は適宜変更することができる。例えば、７時０分から１２時０分までの範囲か否かを判断して、午前か否かを判断するとしても良い。この場合、７時０分より前の時刻がアラーム時刻として設定された場合、ユーザへの確認画面の表示が不要となり、消費電力を削減することができる。
【００９１】
（４）また、上記実施形態では、午前である旨の確認画面に日時を表示したが、本発明の電子機器はこのような場合に限定されるものではなく、たとえば、単に設定時刻が午前である旨を表示するだけで、時刻は表示しないとしても良い。このような表示画面としては、たとえば、図１０に示される確認画面５５０の変形例として、「本日の午前の設定でよろしいですか？」などがある。
【００９２】
（５）また、上記実施形態では、本発明に係る電子機器の一実施形態として携帯電話を例に挙げたが、本発明に係る電子機器が適用される機器としては携帯電話に限定されるものではなく、たとえば、ＰＤＡ、パソコン、ナビゲーションシステム、ゲーム機、その他の電子機器に適用可能である。
【００９３】
（６）また、上記実施形態では、設定時刻が午前である旨のユーザに対する確認として確認画面を表示するとしているが、本発明はこのような場合に限定されるものではない。たとえば、設定時刻が午前である旨を確認させるために、確認画面に代えて、又は、確認画面と共に、音声や発音により確認したり、ＬＥＤの発光により確認したり、振動により確認したり若しくはこれらを任意に組み合わせて確認を行うとしたり、その他適宜な方法により確認を行うとしても良い。
【００９４】
（７）また、上記実施形態では、本発明に係る電子機器の一実施形態の携帯電話として、折り畳み型の携帯電話を例に説明したが、本発明はこのような場合に限定されるもので
はなく、その他にも、スライド型、ストレート型、２軸ヒンジ型その他適宜な筐体構造の携帯電話その他の電子機器に適用可能である。
【００９５】
（８）また、上記実施形態では、確認画面を表示するタイミングとして、例えば図６のフローチャートのＳ１０４、Ｓ１０５に示されるように、アラーム日、所定時刻が入力された後としているが、本発明はこのような場合に限定されるものではなく適宜その他のタイミングとしても良い。例えば、確認画面を表示するタイミングとして、アラーム日、所定時刻が入力された後、決定キーが選択された後であるとしても良い。たとえば、図６のフローチャートを例に挙げると、Ｓ１０６の後である。この場合、ユーザは、設定された時刻が正しいか否かを確認するために、再度、決定キー又はキャンセルキーを選択する。
【００９６】
（９）また、上記実施形態では、例えば図６のＳ１０６に示されるように、アラーム日時の設定を確定するために決定キーを選択するとしているが、本発明はこのような場合に限定されるものではなく、たとえば、確認画面が表示されてから所定時間経過した場合に、アラーム日時の設定を確定するとしても良い。この場合、ユーザは、決定キーの選択が不要となり、利便性が向上する。
【００９７】
（１０）また、上記実施形態では、たとえば図１０、図１１、図１２に示されるような確認画面５５０，５５０ａ、５６０を表示するとしたが、本発明の確認画面としてこのような確認画面に限定されるものではない。たとえば、午前の時刻における報知である旨の確認画面としては、報知時刻が午前であることを示すことができれば良いので、単に午前の表示や、午前を示す画像、マーク、文言を表示したりこれらを適宜組み合わせた確認画面であって良い。
【符号の説明】
【００９８】
１０  ＬＣＤ側筐体
２０  操作部側筐体
３０  ヒンジ機構
１００  アンテナ
１１０  ＲＯＭ
１２０  リアルタイムクロック（ＲＴＣ）
１３０  無線回路
１４０  制御部
１４０ａ  ＣＰＵ
１５０  入力キー
１６０  ＬＣＤドライバ
１７０  ＬＣＤ（表示部）
１８０  振動モータ
１９０  フラッシュメモリ
２００  ＲＡＭ
２１０  マイク
２２０  レシーバ
２３０  スピーカ
３００  プログラム領域
３０１  画像表示プログラム
３０２  入力処理プログラム
３０３  判断プログラム
３０４  日時判断プログラム
３０５  確認プログラム
３０６  アラーム設定プログラム
３０７  報知処理プログラム
３１０  データ領域
３１１  画像データ
４０１  入力部
４０２  判断部
４０３  日時判断部
４０４  確認部
４０５  設定部
４０６  報知部
５００  画面
５１０  アラーム日入力部
５２０  画面
５５０，５５０ａ，５６０  確認画面
【図１】
0005534835.tif 000002
【図２】
0005534835.tif 000003
【図３】
0005534835.tif 000004
【図４】
0005534835.tif 000005
【図５】
0005534835.tif 000006
【図６】
0005534835.tif 000007
【図７】
0005534835.tif 000008
【図８】
0005534835.tif 000009
【図９】
0005534835.tif 000010
【図１０】
0005534835.tif 000011
【図１１】
0005534835.tif 000012
【図１２】
0005534835.tif 000013